(57)【要約】【課題】サービスしている移動体位置決めセンタにおける移動局の識別。【解決手段】ＭＳ（１１０）のアイデンティティを独立型移動体位置決めセンタ（ＳＭＬＣ）（１３０）に伝達するための方法及び装置が記載される。１つの具体例の実施形態では、ＭＳ（１１０）は、拡張コンテナ中の、国際移動体加入者アイデンティティ（ＩＭＳＩ）のような固有のＭＳ識別名（ＭＳ  ＩＤ）を符号化するように設定される。拡張コンテナは、無線リソース位置決めサービス（ＬＣＳ）プロトコル（ＲＲＬＰ）によって規定されたオプションの情報要素である。拡張コンテナは、測定所在地応答メッセージ又はプロトコル・エラー・メッセージの中の構成要素として含まれることができる。ＳＭＬＣ（１３０）は、拡張コンテナを復号化するように、ＭＳ  ＩＤを取り出すように、及び固有の位置決めセッション識別名にしたがってＭＳ  ＩＤを記憶するようにに設定される。都合の良いことに、ＭＳ（１１０）は、試験モード・パラメータを用いて設定されることができる。１つの実施形態では、拡張コンテナ中のＭＳ  ＩＤの符号化は、試験モード・パラメータが“オン”状態に設定される場合にだけ試験ＭＳ（１１０）において作動される。【選択図】図１
2007521742.tif 000002
【特許請求の範囲】
【請求項１】
ワイアレス通信システムにおける使用のために位置決めサービスを試験する方法であって、該方法は、下記のステップを具備する：
ａ）移動局（ＭＳ）において第１の位置決めサービス・メッセージを受信すること；
ｂ）第２の位置決めサービス・メッセージの拡張コンテナ中の固有のＭＳ識別名を符号化すること；
ｃ）第１の位置決めサービス・メッセージに応答して、サービスしている移動体位置決めセンタ（ＳＭＬＣ）に第２の位置決めサービス・メッセージを送信すること、ここにおいて、該ＳＭＬＣは、複数の位置決めセッション識別名を管理する；
ｄ）拡張コンテナを復号化すること、これにより固有のＭＳ識別名を取り出すこと；及び
ｅ）複数の位置決めセッション識別名に属している固有の位置決めセッション識別名に対応しかつ関係する固有のＭＳ識別名を記憶すること。
【請求項２】
第１の位置決めサービス・メッセージは、無線リソース位置決めサービス（ＬＣＳ）プロトコル（ＲＲＬＰ）補助データ・メッセージである、請求項１の位置決めサービスを試験する方法。
【請求項３】
第１の位置決めサービス・メッセージは、ＲＲＬＰ測定所在地要求メッセージである、請求項１の位置決めサービスを試験する方法。
【請求項４】
固有のＭＳ識別名は、国際移動体加入者アイデンティティである、請求項１の位置決めサービスを試験する方法。
【請求項５】
固有のＭＳ識別名は、移動体加入者統合サービス・ディレクトリ番号である、請求項１の位置決めサービスを試験する方法。
【請求項６】
固有のＭＳ識別名を符号化するステップは、固有のＭＳ識別名を符号化することを制御する試験モード・パラメータを設定するステップをさらに含む、請求項１の位置決めサービスを試験する方法。
【請求項７】
第２の位置決めサービス・メッセージは、ＲＲＬＰプロトコル・エラー・メッセージである、請求項１の位置決めサービスを試験する方法。
【請求項８】
第２の位置決めサービス・メッセージは、ＲＲＬＰ測定所在地応答メッセージである、請求項１の位置決めサービスを試験する方法。
【請求項９】
ワイアレス通信システムにおける位置決めサービスを試験するためのシステムであって、該システムは、下記を具備する：
ａ）位置決めサービス機能を実行することが可能である移動局（ＭＳ）、ここにおいて、該ＭＳは、下記を含む：
ｉ）第１の位置決めサービス・メッセージを受信するように適合され、及び第２の位置決めサービス・メッセージを送信するように適合されたトランシーバ；及び
ｉｉ）適切に動作するようにトランシーバに接続されたＭＳ  ＣＰＵ、ここにおいて、該ＭＳ  ＣＰＵは、第１の位置決めサービス・メッセージを受信する、及びここにおいて、該ＭＳ  ＣＰＵは、該ＭＳを一義的に認識するＭＳ識別名を符号化する、及びここにおいて、該ＭＳ  ＣＰＵは、第２の位置決めサービス・メッセージの拡張コンテナ中に固有の該ＭＳ識別名を挿入する；
ｂ）基地局システム（ＢＳＳ）、ここにおいて、ＢＳＳは、ＭＳに第１の位置決めサービス・メッセージを送信するように適合され、そしてＭＳから第２の位置決めサービス・メッセージを受信するように適合された基地トランシーバ局（ＢＴＳ）を含む；及び
ｃ）ワイアレス通信システムに関する位置決めサービスを制御するサービスしている移動体位置決めセンタ（ＳＭＬＣ）、ここにおいて、該ＳＭＬＣは、複数の位置決めセッション識別名を管理する、及びここにおいて、該ＳＭＬＣは、下記を含む：
ｉ）適切に動作するようにＢＳＳに接続されたＳＭＬＣ  ＣＰＵ、ここにおいて、該ＳＭＬＣ  ＣＰＵは、第１の位置決めサービス・メッセージを出力し、該ＢＳＳに該第１の位置決めサービス・メッセージを送信する、及びここにおいて、該ＳＭＬＣ  ＣＰＵは、該ＢＳＳから第２の位置決めサービス・メッセージを受信し、該第２の位置決めサービス・メッセージの拡張コンテナを復号化する、これにより固有のＭＳ識別名を取り出す；及び
ｉｉ）ＳＭＬＣ  ＣＰＵに接続されたメモリ、ここにおいて、該メモリは、複数の位置決めセッション識別名の中の固有の位置決めセッション識別名に対応しかつ関係する固有のＭＳ識別名を記憶する。
【請求項１０】
ＭＳ  ＣＰＵは、試験モード・パラメータを含む、及びここにおいて、該ＭＳ  ＣＰＵは、ＭＳ識別名を符号化し、及び該試験モード・パラメータの設定に応じて拡張コンテナの中に固有のＭＳ識別名を挿入する、請求項９の位置決めサービスを試験するためのシステム。
【請求項１１】
ＭＳは、ユーザ・インターフェースを含む、及びここにおいて、該ユーザ・インターフェースは、試験モード・パラメータの設定を制御するためにＭＳ  ＣＰＵに接続される、請求項１０の位置決めサービスを試験するためのシステム。
【請求項１２】
第２の位置決めサービス・メッセージは、無線リソース位置決めサービス（ＬＣＳ）プロトコル（ＲＲＬＰ）測定所在地応答メッセージである、請求項９の位置決めサービスを試験するためのシステム。
【請求項１３】
第２の位置決めサービス・メッセージは、ＲＲＬＰプロトコル・エラー・メッセージである、請求項９の位置決めサービスを試験するためのシステム。
【請求項１４】
第１の位置決めサービス・メッセージは、ＲＲＬＰ補助データ・メッセージである、請求項９の位置決めサービスを試験するためのシステム。
【請求項１５】
第１の位置決めサービス・メッセージは、ＲＲＬＰ測定所在地要求メッセージである、請求項９の位置決めサービスを試験するためのシステム。
【請求項１６】
ＭＳは、固有のＭＳ識別名を記憶する加入者アイデンティティ・モジュール（ＳＩＭ）を含む、請求項９の位置決めサービスを試験するためのシステム。
【請求項１７】
固有のＭＳ識別名は、国際移動体加入者アイデンティティである、請求項９の位置決めサービスを試験するためのシステム。
【請求項１８】
固有のＭＳ識別名は、移動体加入者統合サービス・ディレクトリ番号である、請求項９の位置決めサービスを試験するためのシステム。
【請求項１９】
ワイアレス通信システムにおける位置決めサービスを試験するためのシステムであって、該システムは、下記を具備する：
ａ）第１の位置決めサービス・メッセージを受信するための手段；
ｂ）第２の位置決めサービス・メッセージの拡張コンテナ中の固有のＭＳ識別名を符号化するための手段；
ｃ）第１の位置決めサービス・メッセージに応答して、サービスしている移動体位置決めセンタ（ＳＭＬＣ）に第２の位置決めサービス・メッセージを送信するための手段、ここにおいて、該ＳＭＬＣは、複数の位置決めセッション識別名を管理する；
ｄ）第２の位置決めサービス・メッセージの拡張コンテナを復号化するため、これにより固有のＭＳ識別名を取り出すための手段；及び
ｅ）複数の位置決めセッション識別名の間の固有の位置決めセッション識別名に対応しかつ関係する固有のＭＳ識別名を記憶するための手段。
【請求項２０】
汎用演算装置上で実行可能なコンピュータ・プログラム、ここにおいて、該プログラムは、複数の移動局及び複数の基地局を具備するワイアレス通信システムにおいて位置決めサービスを試験することを実行することが可能である、該プログラムは、下記を具備する：
ａ）移動局（ＭＳ）において第１の位置決めサービス・メッセージを受信するための第１の命令のセット；
ｂ）第２の位置決めサービス・メッセージの拡張コンテナの中の固有のＭＳ識別名を符号化するための第２の命令のセット；
ｃ）第１の位置決めサービス・メッセージに応答して、サービスしている移動体位置決めセンタ（ＳＭＬＣ）に第２の位置決めサービス・メッセージを送信するための第３の命令のセット、ここにおいて、該ＳＭＬＣは、複数の位置決めセッション識別名を管理する；
ｄ）拡張コンテナを復号化するため、これにより固有のＭＳ識別名を取り出すための第４の命令のセット；及び
ｅ）複数の位置決めセッション識別名に属している固有の位置決めセッション識別名に対応しかつ関係する固有のＭＳ識別名を記憶するための第５の命令のセット。
【発明の詳細な説明】
【技術分野】
【０００１】
同時係属中の仮出願に対するクロスリファレンス
本出願は、サービスしている移動体位置決めセンタにおける移動局の識別（Identification of a Mobile Station at a Serving Mobile Location Center）と題された、２００３年６月２７日に出願された係属中の米国特許仮出願番号６０／４８３，２１２に米国特許法１１９条（ｅ）に基づいて優先権を主張する、これは、参照文献として本明細書中に取り込まれている。
【０００２】
本出願は、移動体装置に対する位置決めサービスの分野に係り、特に、独立型のサービスしている移動体位置決めセンタ（Serving Mobile Location Center）に移動局のアイデンティティ（identity）を伝達する方法及び装置に関する。
【背景技術】
【０００３】
携帯電話機及びワイアレス・ディジタル通信装置（以降、移動局又はＭＳとして一括して呼ぶ）に対する位置決めサービス（“LoCation Services”の代わりに、ＬＣＳと省略する）は、ワイアレス通信プロバイダにとって拡大している重要な業務領域である。位置決めサービス情報は、移動局ユーザへの種々の位置決めサービスを提供するために使用されることが可能である。例えば、公共安全性機関（public safety authority）は、ワイアレス装置の正確な地理的な位置をピンポイントで示すために移動局位置情報を使用することが可能である。あるいは、移動局ユーザは、最も近い現金自動支払機の位置を探し当てるために位置情報を使用することが可能であり、同様にそのＡＴＭにより料金を支払うために使用できる。別の１つの例として、位置情報は、所望の目的地への道筋をその途上であっても一歩ずつ得る際に旅行者を支援できる。
【０００４】
多数のシステム・ユーザがワイアレス通信システムを共有することを可能にする、広範囲移動通信システム（Global System for Mobile Communications）（ＧＳＭ）技術のような技術は、例えば、位置決めサービスに対する要求を含む、移動体計算の拡大し続ける要求を満足させる際に重要な役割を担う。良く知られたように、ＧＳＭは、複数のユーザと同時に通信することを可能にする時間分割多元アクセス（Time Division Multiple Access）技術及び周波数分割多元アクセス（Frequency Division Multiple Access）技術の組み合わせを使用する。ＧＳＭシステムは、しかも、データを送信するため及び位置決めサービスを提供するために汎用パケット無線サービス（General Packet Radio Service）技術もしばしば採用する。
【０００５】
ワイアレス通信システムにおけるＭＳ所在地（position）（“所在地（position）”と“位置（location）”は、本明細書中では同等な用語として使用され、ＭＳの地理的な座標を示す）決定に関する規格類及び機能的な仕様書類が、制定されてきている。ＧＳＭ及びＬＣＳに関係する１つの具体例の引用文献は、“第３世代パートナーシップ・プロジェクト、技術仕様グループ、サービス及びシステム態様、位置決めサービス（ＬＣＳ）、（機能的な説明）−ステージ２（１９９９年公開）（3rd Generation Partnership Project, Technical Specification Group, Service and System Aspects, Location Services(LCS), (Functional description)- Stage 2 (Release 1999)）”、（３ＧＰＰ  ＴＳ  ０３．７１  Ｖ８．７．０）、２００２年９月、である。本引用文献は、３ＧＰＰ  ＴＳ  ０３．７１  Ｖ８．７．０として下記に引用される。
【０００６】
ＧＳＭ及びＬＣＳに関係する２番目の具体例の引用文献は、“第３世代パートナーシップ・プロジェクト、技術仕様グループ  ＧＳＭ／ＥＤＧＥ無線アクセス・ネットワーク、位置決めサービス（ＬＣＳ）、移動局（ＭＳ）−サービスしている移動体位置決めセンタ（ＳＭＬＣ）無線リソースＬＣＳプロトコル（ＲＲＬＰ）（１９９９年公開）（3rd Generation Partnership Project, Technical Specification Group GSM/EDGE Radio Access Network, Location Services(LCS), Mobile Station(MS)- Serving Mobile Location Center(SMLC) Radio Resource LCS Protocol (RRLP) (Release 1999)）”、（３ＧＰＰ  ＴＳ  ０４．３１  Ｖ８．１０．０）、２００２年７月、である。本引用文献は、３ＧＰＰ  ＴＳ  ０４．３１  Ｖ８．１０．０として下記に引用される。
【０００７】
ＧＳＭ及びＬＣＳに関係する３番目の具体例の引用文献は、“第３世代パートナーシップ・プロジェクト、技術仕様グループ  コア・ネットワーク、移動体応用編（ＭＡＰ）仕様書（３Ｇ  ＴＳ  ２９．００２  ３．ｈ．０版  １９９９年公開）（3rd Generation Partnership Project, Technical Specification Group Core Network, Mobile Application Part(MAP) specification (3G TS 29.002 version 3.h.0 Release 99)）”、２０００年６月、である。本引用文献は、３Ｇ  ＴＳ  ２９．００２  Ｖ３．ｈ．０として下記に引用される。
【０００８】
ＧＳＭにおける公共地上移動体通信ネットワーク（Public Land Mobile Communications Network）（ＰＬＭＮ）のような、ワイアレス通信ネットワークは、位置測定を可能にする及び／又は測定性能を改善するＭＳに補助データを提供できる。ＭＳが補助する位置決めの１つの具体例の方法は、全地球位置決定システム（Global Positioning System）（ＧＰＳ）を採用し、“補助されたＧＰＳ”又はＡＧＰＳとして呼ばれる。ＡＧＰＳ技術にしたがって、ＭＳは、ネットワークにより提供される補助データを使用してＧＰＳ衛星からの測定値を捕捉する。ＧＳＭシステムでは、所定の位置決め要求に関係する測定値が、サービスしている移動体位置決めセンタ（Serving Mobile Location Center）（ＳＭＬＣ）に送信される。ＳＭＬＣは、ＭＳの位置決めを実行するために必要とされるリソースのスケジューリング及び全体の調整を管理する。
【０００９】
ワイアレス通信システムにおけるＬＣＳの発展及び有効化は、広範囲にわたる操業的な試験を必要とする。独立型のＳＭＬＣ、すなわち、基地局コントローラ（Base Station Controller）（ＢＳＣ）の内部に統合されていないＳＭＬＣを有するＧＳＭシステムにおいてＬＣＳを試験する場合に生ずる１つの問題は、試験ＭＳのアイデンティティがＬＳＣ位置決めセッションに関するＧＳＭ規格仕様書類にしたがってＳＭＬＣに伝達されないことである。ＭＳのアイデンティティは、国際移動体加入者アイデンティティ（International Mobile Subscriber Identity）（ＩＭＳＩ）番号のような固有のＭＳ識別名（MS Identifier）（ＭＳ  ＩＤ）を使用して決定される。ＭＳ  ＩＤは、一般に加入者アイデンティティ・モジュール（Subscriber Identity Module）（ＳＩＭ）、又はＭＳ内部のその他の同等の構成部品において利用可能である。サービスを受けるＭＳのＭＳ  ＩＤは、ＢＳＣに提供される。しかしながら、位置決めセッションの間、ＢＳＣは、ＳＭＬＣに論理的な参照データのみを伝達して、他の位置決めセッションから１つの位置決めセッションを見分ける。これは、通常の動作に対して効率的な方法であるけれども、情報回復処理が特定のＭＳに固有のセッションに結びつけるために実現されなければならないため、試験することを非常に困難にさせる。
【００１０】
上記のＭＳアイデンティティを試験する問題に向けられる可能性のある方法は、ＢＳＣの中にＳＭＬＣを統合すること、若しくはＭＳアイデンティティ情報が非標準方式でＳＭＬＣに渡されるようにＢＳＣを修正することを含む。しかしながら、これらの方法は、ＢＳＣへのそのような変更が扱いにくく実現することが困難であるために、望まれていない。
【００１１】
したがって、ＬＣＳ位置決めセッションの期間にＭＳのアイデンティティを独立型のＳＭＬＣに伝達するための効率的な方法及び装置は、動作上の試験を容易にすることを必要とされている。
【非特許文献１】“第３世代パートナーシップ・プロジェクト、技術仕様グループ、サービス及びシステム態様、位置決めサービス（ＬＣＳ）、（機能的な説明）−ステージ２（１９９９年公開）（3rd Generation Partnership Project, Technical Specification Group, Service and System Aspects, Location Services(LCS), (Functional description)- Stage 2 (Release 1999)）”、（３ＧＰＰ  ＴＳ  ０３．７１  Ｖ８．７．０）、２００２年９月
【非特許文献２】“第３世代パートナーシップ・プロジェクト、技術仕様グループ  ＧＳＭ／ＥＤＧＥ無線アクセス・ネットワーク、位置決めサービス（ＬＣＳ）、移動局（ＭＳ）−サービスしている移動体位置決めセンタ（ＳＭＬＣ）無線リソースＬＣＳプロトコル（ＲＲＬＰ）（１９９９年公開）（3rd Generation Partnership Project, Technical Specification Group GSM/EDGE Radio Access Network, Location Services(LCS), Mobile Station(MS)- Serving Mobile Location Center(SMLC) Radio Resource LCS Protocol (RRLP) (Release 1999)）”、（３ＧＰＰ  ＴＳ  ０４．３１  Ｖ８．１０．０）、２００２年７月
【非特許文献３】“第３世代パートナーシップ・プロジェクト、技術仕様グループ  コア・ネットワーク、移動体応用編（ＭＡＰ）仕様書（３Ｇ  ＴＳ  ２９．００２  ３．ｈ．０版  １９９９年公開）（3rd Generation Partnership Project, Technical Specification Group Core Network, Mobile Application Part(MAP) specification (3G TS 29.002 version 3.h.0 Release 99)）”、２０００年６月
【発明の開示】
【００１２】
［サマリー］
ワイアレス移動局の地理上の位置を提供するための方法及び装置、そして特に、独立型のサービスしている移動体位置決めセンタ（ＳＭＬＣ）へＭＳのアイデンティティを伝達するための方法及び装置は、１つの具体例の実施形態では、拡張コンテナ（extension container）中に国際移動体加入者アイデンティティ（International Mobile Subscriber Identity）（ＩＭＳＩ）のような、自身の固有のＭＳ識別名（ＭＳ  ＩＤ）を符号化するように設定されたＭＳを有する。拡張コンテナは、無線リソース位置決めサービス（ＬＣＳ）プロトコル（Radio Resource Location Services Protocol）（ＲＲＬＰ）により規定されたオプションの情報要素である。拡張コンテナは、測定所在地応答（Measure Position Response）メッセージ又はプロトコル・エラー（Protocol Error）メッセージのような位置決めサービス・メッセージ中に構成要素として含まれることができる。ＳＭＬＣは、固有の位置決めセッション識別名にしたがって拡張コンテナを復号化し、ＭＳ  ＩＤを取り出し、そしてＭＳ  ＩＤを記憶するように設定される。
【００１３】
有利なことに、ＭＳは、試験モード・パラメータを用いて設定されることができる。試験モード・パラメータは、“試験モード・オン”（“ＯＮ”と省略する）及び“試験モード・オフ”（“ＯＦＦ”と省略する）に値を設定されることができる。ここで、デフォルト値は、“ＯＦＦ”である。ＭＳでは、試験モード・パラメータの設定は、電話機内部への直列回線を使用する専用命令を介して、又はＭＳユーザ・インターフェースを介して制御されることができる。１つの実施形態では、拡張コンテナ中のＭＳ  ＩＤの符号化は、試験モード・パラメータが“ＯＮ”に設定される場合にだけ試験ＭＳにおいて作動される。
【００１４】
［詳細な説明］
図１は、位置決めサービスを試験することに対して適合されることができる単純化された一般的なワイアレス通信システム１００を説明する。図１に示されたように、移動局（ＭＳ）１１０は、ワイアレス回線１５２，１５４を介して１又はそれより多くの基地トランシーバ・システム（Base Transceiver System）（ＢＴＳ）１２２，１２４と通信する。各ＢＴＳは、一般的に“セル”として呼ばれる地理的な領域への交信可能範囲（coverage）（又はサービス）を提供する。２つのＢＴＳが例として図示されているけれども、採用される位置決め手法に依存して、位置決めサービスは、１つだけのＢＴＳを使用して、若しくは３個又はそれより多くのＢＴＳを使用してＭＳ１１０に提供されることができる。取り込まれた引用文献３ＧＰＰ  ＴＳ  ０．７１  Ｖ８．７．０に説明されているように、位置決め手法は、アップリンク到着の時間（Time of Arrival）（ＴＯＡ）、拡張された観測時間差（Enhanced Observed Time Difference）（Ｅ−ＯＴＤ）、及びＡＧＰＳ含むことができる。ＴＯＡ及びＥ−ＯＴＤの両者は、ＭＳと複数のＢＴＳとの間の信号の交換を必要とする。
【００１５】
本発明の教示によれば、ＭＳ１１０は、制限なしに、ワイアレス電話機、ワイアレス通信能力を有するパーソナル・ディジタル・アシスタンツ、ワイアレス通信能力を有するラップトップ・コンピュータ、及びワイアレス接続を介した個人的な通信のためのその他のいずれかの携帯ディジタル装置を含むことができる。
【００１６】
ＢＴＳ１２２，１２４は、基地局コントローラ（Base Station Controller）（ＢＳＣ）１２６にデータ通信のために動作上で接続される。ＢＴＳ１２２，１２４及びＢＳＣ１２６は、基地局システム１２０の一部分である。図１に示されたように、ＢＳＣ１２６は、サービスしている移動体位置決めセンタ（Serving Mobile Location Center）（ＳＭＬＣ）１３０に接続される。ＳＭＬＣは、ＭＳの位置決めを実行するために必要とされるリソースを管理することにより位置決めサービスを制御する。代わりの構成では、ＳＭＬＣは、ワイアレス通信システム中のその他の要素（図示されず）を通して適切に作用するように接続されることができる。
【００１７】
ＭＳ１１０は、通信回線１５６，１５８を介して１又はそれより多くの衛星１７２，１７４からＧＰＳ信号のような信号を受信する。２つの衛星が例として図示されているけれども、１個だけの衛星、又はより多くの、通常的に複数の衛星が、ワイアレス通信システム中の移動局に対して位置決めサービスを提供する場合に使用されることができる。衛星データは、同様に、通信サービス・プロバイダ・ネットワーク１４０中のその他の受信機（図示されず）によっても受信されることができる。ワイアレス・システムのためのＧＰＳ位置決めシステムが、静止ＧＰＳ受信機及び／又は衛星信号を受信することのため及びＳＭＬＣに基準データを提供することのための広域基準ネットワーク（Wide Area Reference Networks）のような要素を一般に含むことを、通信技術に精通した者は、理解する。ＢＳＣ１２６は、通信サービス・プロバイダ・ネットワーク１４０に接続され、オーディオ／ビデオ／テキスト通信及びプログラミング・データ、所在地要求、等のようなデータを受信し、送信する。通信サービス・プロバイダ・ネットワークの一例は、ＧＳＭの下で動作している公共地上移動体通信システム・ネットワーク（Public Land Mobile Communication System Network）（ＰＬＭＮ）である。
【００１８】
図２は、機能ブロックの形式で図示された、位置決めサービスを提供することが可能な別の１つの具体例の通信システム２００を示す。単純化のために、１つだけのＧＰＳ衛星２７２、及びそれに関係する同報通信信号回線２５２が、図示される。
【００１９】
図２に示されたように、ＭＳ２１０は、中央処理ユニット（central processing unit）（ＣＰＵ）２１２、メモリ２１４、ユーザ・インターフェース２１３、加入者アイデンティティ・モジュール（Subscriber Identity Module）（ＳＩＭ）２１５、及びトランシーバ２１６を含む。用語“ＣＰＵ”は、本明細書を通して使用されるように、単独で若しくはＣＰＵがその中に含まれている（ＳＭＬＣ２３０又はＭＳ２１０、或いはその一部分のような）装置の動作を制御することが可能な（メモリのような）その他の装置と組み合わされて、任意の処理装置を包含するように意図されている。例えば、ＣＰＵは、マイクロプロセッサ、混載されたコントローラ、特定用途集積回路（application specific integrated circuit）（ＡＳＩＣ）、ディジタル・シグナル・プロセッサ（digital signal processor）（ＤＳＰ）、ステート・マシーン、専用個別ハードウェア、及びその他を含むことが可能である。本明細書中で説明されたシステム、装置、及び方法は、説明された特定のハードウェア構成部品に限定されない、若しくはＣＰＵ２１２を実行させるために選択されたいずれかの特定のハードウェア構成部品により制限されない。
【００２０】
トランシーバ２１６は、ＭＳ２１０とＢＴＳ２２４及び２２６のような遠くの場所との間、又はＭＳ２１０と衛星２７２のようなＧＰＳ衛星との間の、オーディオ／ビデオ／テキスト通信及びプログラミング・データのようなデータの送信及び受信を可能にする。アンテナ２１８は、トランシーバ２１６に電気的に接続される。音声及びデータ通信に関するＭＳ２１０の基本的な動作は、本技術において周知であり、本明細書中では詳細に説明されない。
【００２１】
図２に示されたように、システム２００は、メモリ２３４を有するＳＭＬＣ２３０、及びＣＰＵ２３２を含む。ＣＰＵ２３２は、プログラムされた命令およびメモリ２３４に記憶されたデータにしたがってＳＭＬＣ２３０の動作を制御する。メモリ２１４及び２３４は、読み取り専用メモリ（read-only memory）（ＲＯＭ）構成部品、ランダム・アクセス・メモリ（random access memory）（ＲＡＭ）、及び不揮発性ＲＡＭ構成部品を含むことができる。メモリ２３４は、ＣＰＵ２３２に対する命令及びデータを記憶し、提供する。メモリ２１４は、ＣＰＵ２１２に対する命令及びデータを記憶し、提供する。ＳＭＬＣ２３０の構成部品は、内部バス・システム２３６により互いにリンクされる。ＭＳ２１０の構成部品は、内部バス・システム２１９により互いにリンクされる。
【００２２】
下記により詳細に説明されるように、ＳＩＭ２１５は、国際移動体加入者アイデンティティ（International Mobile Subscriber Identity）（ＩＭＳＩ）、移動体加入者統合サービス・ディレクトリ番号（Mobile Subscriber Integrated Services Directory Number）（ＭＳＩＳＤＮ）、又はその他のＭＳ  ＩＤ（MS Identifier）のような固有のＭＳ識別名（ＭＳ  ＩＤ）を含む。ＩＭＳＩ及びＭＳＩＳＤＮは、ＭＳのための固有の識別名であり、どちらかが使用されることができる。ＭＳ  ＩＤ（典型的にはＩＭＳＩであるが、ＭＳＩＳＤＮ又はその他のＭＳ  ＩＤが使用されることができる）は、ＣＰＵ２１２により取り出され、プログラムされた命令及びメモリ２１４中に記憶されたデータにしたがって符号化され、ＲＲＬＰ測定所在地応答メッセージ又はプロトコル・エラー・メッセージの中に取り込まれ、そして図２に図示された通信回線及びシステム構成部品を介してＳＭＬＣ２３０に伝達されることができる。
【００２３】
ユーザ・インターフェース２１３は、下記に説明されるように、試験モード・パラメータの設定を制御するために使用されることができる。１つの具体例の実施形態では、ユーザ・インターフェースは、画像ユーザ・インターフェース（graphical user interface）（ＧＵＩ）、及びタッチ・スクリーン、ポインティング装置又はキーパッドのような入力装置を含むことができる。別の１つの具体例の実施形態では、試験モード・パラメータは、ラップトップ・コンピュータ又はパーソナル・ディジタル・アシスタンツのような、ローカル装置（図示されず）に接続手段（例えば、シリアル接続手段、図示されず）を通して受信された専用の命令を使用して制御されることができる、ここで、ローカル装置は、ＣＰＵ２１２に機能的に接続される。
【００２４】
図２に示されたように、通信システム２００は、ＢＳＳ２２０を含み、これは、順にＢＳＣ２２２及びＢＴＳ２２４，２２６のような複数のＢＴＳを含む。ＢＴＳは、ＢＳＣ２２２とＭＳ２１０のような遠く離れた場所との間の、又はＢＳＣ２２２と衛星２７２のようなＧＰＳ衛星との間の（オーディオ／ビデオ／テキスト及びプログラミング・データのような）データの送信及び受信を可能にする。アンテナ２２８及び２２９は、公知の方式で、それぞれＢＴＳ２２４及び２２６に電気的に接続される。ＭＳ２１０は、ワイアレス回線２７２’のようなワイアレス回線を介してＢＴＳと通信する。増設の無線回線（図示されず）は、ＭＳ２１０とＢＴＳ２２４又はその他のＢＴＳ（図示されず）との間の信号を送信するために使用されることができる。ＢＳＣ２２２及びＢＴＳ２２４，２２６の基本的な動作は、本技術において周知であり、それゆえ本明細書中ではより詳細には説明されない。ＢＳＣ２２２は、通信サービス・プロバイダ・ネットワーク２４０に接続される。ＢＳＣ２２２は、オーディオ／ビデオ／テキスト通信及びプログラミング・データ、所在地要求、又は通信サービス・プロバイダ・ネットワーク２４０からの所在地データのような、データを受信し、そして送信する。
【００２５】
ＢＳＳ２２０は、同様に、ＬＣＳに関係するデータを送信し、受信するためにＳＭＬＣ２３０にも接続される。そのようなデータの例が、下記に詳細に説明される。
【００２６】
ＭＳとＳＭＬＣとの間で交換されたＲＲＬＰ  ＬＣＳメッセージ（RRLP LCS Message Exchanged）
図３は、所在地要求手続きの間に試験ＭＳ３１０とＳＭＬＣ３３０との間で交換されることができるＲＲＬＰメッセージの流れを図示する。この手続きは、引用文献３ＧＰＰ  ＴＳ０４．３１  Ｖ８．１０．０に非常に詳細に記載されている。
【００２７】
ＲＲＬＰ補助データ・メッセージ３４２、ＲＲＬＰプロトコル・エラー・メッセージ３４６、及びＲＲＬＰ補助データ受領通知メッセージ３４８は、ＲＲＬＰダウンリンク擬似分割が（３ＧＰＰ  ＴＳ０４．３１  Ｖ８．１０．０に記載されたように、周知の技術にしたがって）使用される場合に、ＳＭＬＣが所在地測定及び／又はＭＳ位置決め計算に関係するＭＳに補助データを送信することを可能にする。もし、擬似分割が使用されないのであれば、所在地要求手続きは、メッセージ３４２，３４６及び３４８を省略する。しかも、ＲＲＬＰ補助データ・メッセージ３４２、ＲＲＬＰプロトコル・エラー・メッセージ３４６、及びＲＲＬＰ補助データ受領通知メッセージ３４８は、ＳＭＬＣがＭＳにより要求された補助データを送信することも可能にする。この場合には、メッセージ３５２，３５４及び３５６は、省略される。
【００２８】
ＳＭＬＣは、ＲＲＬＰ補助データ・メッセージ３４２又はＲＲＬＰ測定所在地要求メッセージ３５２を使用して、ＭＳに補助データ構成要素を送信する。この構成要素は、位置決め測定及び／又は位置決め計算のための補助データを含む。
【００２９】
ＭＳは、ＲＲＬＰプロトコル・エラー・メッセージ３４６を使用してＳＭＬＣにプロトコル・エラー（Protocol Error）構成要素を包含しているＲＲＬＰメッセージを送信する。このメッセージは、ＭＳが完全な補助データ構成要素及び分かりやすい（understandable）補助データ構成要素を受信することを妨げられるという問題がある場合にだけ送られる（メッセージの本質的でない態様は、破線を使用することにより図３に示されている）。ＲＲＬＰプロトコル・エラー・メッセージ３４６は、拡張コンテナと呼ばれるオプションの情報要素を含む。より詳細に下記に説明されるように、ＲＲＬＰプロトコル・エラー・メッセージ３４６の拡張コンテナは、ＳＭＬＣにＭＳのＭＳ  ＩＤ（例えば、ＩＭＳＩ又はＭＳＩＳＤＮ）を伝達するために適合されることができる。このメッセージは、プロトコル・エラーがあるときに伝達される。その結果、下記に説明されるように、引き続くメッセージは、ＭＳアイデンティティ伝達のために利用されることができる。
【００３０】
ＭＳが完全な補助データ構成要素を受信した場合に、ＭＳは、ＳＭＬＣにＲＲＬＰ補助データ受領通知メッセージ３４８を送信する。
【００３１】
ＳＭＬＣは、ＲＲＬＰ測定所在地要求メッセージ３５２を使用してＭＳに測定所在地要求構成要素を送信する。この構成要素は、サービスの品質（Quality of Service）（ＱｏＳ）、その他の命令、及び可能性のある補助データを含む。
【００３２】
ＭＳは、ＲＲＬＰプロトコル・エラー・メッセージ３５４を使用してＳＭＬＣにプロトコル・エラー構成要素を包含するＲＲＬＰメッセージを送信する。このメッセージは、ＭＳが完全な測定所在地要求構成要素及び分かりやすい測定所在地要求構成要素を受信することを妨げられるという問題がある場合にだけ送信される。ＲＲＬＰプロトコル・エラー・メッセージ３５４は、同様に、オプションの拡張コンテナも含み、拡張コンテナは、ＳＭＬＣにＭＳのＭＳ  ＩＤ（例えば、ＩＭＳＩ又はＭＳＩＳＤＮ）を伝達するように適合されることができる。しかしながら、このメッセージは、エラーが遭遇される場合にだけ伝達される。その結果、下記に説明される後続のメッセージは、ＭＳアイデンティティを伝達するために利用されることができる。
【００３３】
ＭＳは、ＲＲＬＰ測定所在地応答メッセージ３５６を使用して要求された位置測定値を報告しようと試みる。位置測定値の例は、所在地推定値、ＡＧＰＳ測定値、又は測定誤差を含むことができる。ＭＳが位置測定値、所在地推定値、又はエラー指標を有する場合（測定／位置推定が可能でない）、ＭＳは、ＳＭＬＣに測定所在地応答構成要素の中で結果を送信する。
【００３４】
しかも、ＲＲＬＰ測定所在地応答メッセージ３５６は、ＳＭＬＣにＭＳのＭＳ  ＩＤ（例えば、ＩＭＳＩ又はＭＳＩＳＤＮ）を伝達するように適合されることができるオプションの拡張コンテナも含む。所在地決定処理がエラーのために前回途中で中止されていないのであれば、このメッセージの拡張コンテナは、ＳＭＬＣにＭＳ  ＩＤを伝達するために与えられることができる。もし、処理がこのメッセージの前に途中で中止されるのであれば、ＲＲＬＰプロトコル・エラー・メッセージ３４６又は３５４の１つが、その代わりに使用されることができる。
【００３５】
拡張コンテナ仕様
ＲＲＬＰ拡張コンテナは、移動体アプリケーション部（Mobile Application Part）（ＭＡＰ）拡張データ・タイプ（Extension Data Type）（組み込まれている引用文献３ＧＰＰ  ＴＳ  ２９．００２  Ｖ３．ｈ．０に詳細に説明される）からエクスポートされる。その結果、その仕様は、ＭＡＰ要約シンタックス表記法１（Abstract Syntax Notation One）(ＡＳＮ．１)記載法規則にしたがう。実際のフィールドを符号化すること／復号化することのために、圧縮された符号化規則（Packed Encoding Rules）（ＰＥＲ）ＰＥＲは、（例えば、オプションのパラメータに対するビットマップ、省略表記法が使用される場合の拡張標識、等）を適用する。下記に説明されるように、ＭＡＰにしたがった符号化は、オブジェクト識別名を包含する。オブジェクト識別名は、以前に登録されたもの若しくは今のところ登録されようとしているもののどちらかである。
【００３６】
拡張コンテナの具体例のＡＳＮ−１符号化は、下記の擬似符号で与えられる。
【００３７】
ＭＡＰ−ＥＸＴＥＮＳＩＯＮ（拡張）：：＝ＣＬＡＳＳ（クラス）｛
＆ＥｘｔｅｎｓｉｏｎＴｙｐｅ（拡張タイプ）
ＯＰＴＩＯＮＡＬ（オプション），
＆ｅｘｔｅｎｓｉｏｎＩｄ（拡張Ｉｄ）      ＯＢＪＥＣＴ  ＩＤＥＮＴＩＦＩＥＲ(オブジェクト識別名)｝
ＥｘｔｅｎｓｉｏｎＣｏｎｔａｉｎｅｒ（拡張コンテナ）：：＝ＳＥＱＵＥＮＣＥ（数列）｛
ｐｒｉｖａｔｅＥｘｔｅｎｓｉｏｎＬｉｓｔ（非公開拡張リスト）    ［０］ＰｒｉｖａｔｅＥｘｔｅｎｓｉｏｎＬｉｓｔ（非公開拡張リスト）
ＯＰＴＩＯＮＡＬ，
ｐｃｓ−Ｅｘｔｅｎｓｉｏｎ（ｐｃｓ−拡張）    ［１］ＰＣＳ−Ｅｘｔｅｎｓｉｏｎ（ＰＣＳ−拡張）    ＯＰＴＩＯＮＡＬ，
．．．｝
ＰｒｉｖａｔｅＥｘｔｅｎｓｉｏｎＬｉｓｔ：：＝ＳＥＱＵＥＮＣＥ  ＳＩＺＥ（数列の大きさ）（１．．．ｍａｘＮｕｍＯｆＰｒｉｖａｔｅＥｘｔｅｎｓｉｏｎｓ（１．．．非公開拡張の最大番号））ＯＦ
ＰｒｉｖａｔｅＥｘｔｅｎｓｉｏｎ（非公開拡張）
ｍａｘＮｕｍＯｆＰｒｉｖａｔｅＥｘｔｅｎｓｉｏｎｓＩＮＴＥＧＥＲ（非公開拡張の最大番号整数）：：＝１０
ＰｒｉｖａｔｅＥｘｔｅｎｓｉｏｎ：：＝ＳＥＱＵＥＮＣＥ｛
ｅｘｔＩｄ                ＭＡＰ−ＥＸＴＥＮＳＩＯＮ．＆ｅｘｔｅｎｓｉｏｎＩｄ（ＭＡＰ拡張＆拡張Ｉｄ）
（｛ＥｘｔｅｎｓｉｏｎＳｅｔ（拡張セット）｝），
ｅｘｔＴｙｐｅ            ＭＡＰ−ＥＸＴＥＮＳＩＯＮ．＆ＥｘｔｅｎｓｉｏｎＴｙｐｅ（ＭＡＰ拡張＆拡張タイプ）
（｛ＥｘｔｅｎｓｉｏｎＳｅｔ｝｛＠ｅｘｔＩｄ｝）
ＯＰＴＩＯＮＡＬ｝
１つの実施形態にしたがって、ＭＳ識別は、ｅｘｔＴｙｐｅ変数に符号化されることができる。オプションのＰＣＳ−Ｅｘｔｅｎｓｉｏｎ（ＰＳＣ−拡張）は、この具体例の実施形態では含まれていない。ＯＩは、試験ＭＳを識別するために使用されることができるＩＭＳＩ又はその他のＭＳ  ＩＤと混同されてはならない。ＯＩの内容、又はＯＩ“値”は、ＯＩ値のオクテットの数を与える長さ指標により始められる。
【００３８】
組み込まれている引用文献に説明されているように、ＡＳＮ−１  ＯＩは、世界規模のツリーに登録されている構成員の明確な識別を可能にする。ＯＩのプロパティは、ワイアレス通信の当業者に周知であり、それゆえ、本明細書中ではさらに詳細に説明されない。ＯＩは、適切な組織又は登録公共機関を通して登録されることができる。具体例の実施形態に対して適しているはずのものと類似の、既存のＯＩ登録の一例は、ＡＳＮ−１  ＢＡＳＩＣ−ＰＥＲ，ＵＮＡＬＩＧＮＥＤ変形：｛ｊｏｉｎｔ−ｉｓｏ−ｉｔｕ−ｔ  ａｓｎ１（１）  ｐａｃｋｅｄ−ｅｎｃｏｄｉｎｇ（３）  ｂａｓｉｃ（Ｏ）  ｕｎａｌｉｇｎｅｄ（１）｝“信号ＡＳＮ．１タイプの圧縮された符号化（基本的な未整列のもの）（Packed encoding of a signal ASN.1 type (basic unaligned)）”に割り当てられたものである。適しているＯＩは、公知のＰＥＲ１６進法形式によって表されることができ、上記に示された拡張コンテナの具体例のＡＳＮ−１符号化の“ｅｘｔＩｄ”構成員のために使用される。ＯＩは、１０進法の数“１，３，０，１”により表され、これは、ＰＥＲ１６進法数列  ０×０３，０×２ｂ，００，０１（０×０３は、３オクテットの可変長値であり；０×２ｂは、値４３＝４０＊１＋３を表す）により符号化されることができる。
【００３９】
１つの実施形態では、“ｅｘｔＴｙｐｅ”変数は、試験ＭＳに関するＩＭＳＩ又はその他のＭＳ  ＩＤを伝達するために使用されることができる非公開の（private）拡張データを含んでいる構成要素である。これは、ＡＳＮ−１オープン・タイプであり、それゆえ、フィールド・リストが続く長さ決定子を有する。現在の例に関して、非公開拡張の長さは、１２８オクテットを超えないように選択されることができる。長さ決定子は、その結果、１個のオクテットに、すなわち、８ビットに符号化される。１つの実施形態では、ｅｘｔＴｙｐｅ変数に関するフィールド・リストは、下記の形式を有することができる：
ＦｉｅｌｄＬｉｓｔ：：＝ＳＥＱＵＥＮＣＥ｛
ｔｅｓｔＥｘｔＲｅｖｉｓｉｏｎ        ＴｅｓｔＥｘｔｅｎｓｉｏｎＲｅｖｉｓｉｏｎ（試験拡張の版），
ｉｍｓｉ                               ＩＭＳＩ，
．．．
｝
上記の例では、下記の注意が適用される：省略の表記“．．．”は、拡張が付加されることが可能であることを示す。ある種の例外的な場合の試験ＭＳが自身のＩＭＳＩを与えられないのであれば、ＩＭＳＩフィールドは、ゼロで埋められることがある。ＴｅｓｔＥｘｔｅｎｓｉｏｎＲｅｖｉｓｉｏｎ（試験拡張の版）は、０と６３との間の値を有する整数変数であり、包括的であり、そして６ビットの１６進数により表されることができる。ＩＭＳＩ変数は、８個のオクテットの固定されたサイズを有するオクテット・ストリング（octet string）である。
【００４０】
表１は、上記の教示にしたがった具体例の拡張コンテナ符号化である：
【表１】
2007521742.tif 000003
【００４１】
ＳＭＬＣによる試験ＭＳ識別及び具体例の動作
１つの具体例の実施形態では、試験ＭＳは、測定所在地応答メッセージ３５６の拡張コンテナ中の、又はプロトコル・エラー・メッセージ３４６及び３５４（図３）の拡張コンテナ中の自身に関係するＭＳ  ＩＤ（例えば、ＩＭＳＩ又はＭＳＩＳＤＮ）を符号化するように設定される。上に説明されたように、測定所在地応答メッセージは、ＳＭＬＣに送信されて、所在地決定、ＡＧＰＳ測定値、又は測定エラーを報告する。プロトコル・エラー・メッセージは、ＳＭＬＣへ試験ＭＳにより送信されて、プロトコル・エラーを報告する。ＳＭＬＣは、拡張コンテナを復号するように、ＭＳ  ＩＤを取り出すように、及び固有の位置決めセッション識別名に関係付けられたＭＳ  ＩＤを記憶するように設定される。固有の位置決めセッション識別名は、ＳＭＬＣにより管理される複数の位置決めセッション識別名に属することができる。
【００４２】
非公開拡張子を符号化しようと試みる場合に、ＳＭＬＣは、初めにＯＩを符号化しようと試みる。もし、受信されたＯＩが認識されないのであれば、ＳＭＬＣは、ＯＩをスキップしようと試みることができ、非公開拡張コンテナ全体をスキップするためにオープン・タイプの変数の長さを符号化できる。拡張コンテナがＲＲＬＰメッセージの妥当な復号化を妨げるのであれば、ＳＭＬＣは、ＭＳにＲＲＬＰプロトコル・エラー・メッセージを送信でき、そしてＢＳＣとの所在地決定セッションを終了できる。
【００４３】
ＯＩの長さ決定子又はＥｘｔＴｙｐｅの長さ決定子が、長さが１６Ｋよりも大きいことを示している値を用いて符号化されることを、ＳＭＬＣが検出するときはいつでも、ＳＭＬＣは、ＭＳにプロトコル・エラー・メッセージを送信する。ＳＭＬＣは、ＢＳＣとの所在地決定セッションを終了させる。
【００４４】
有利なことに、ＭＳは、試験モード・パラメータを用いて設定されることができる。試験モード・パラメータは、“試験モード・オン”（“ＯＮ”と省略する）の値及び“試験モード・オフ”（“ＯＦＦ”と省略する）の値を用いて設定されることができる。ここで、デフォルト値は、“ＯＦＦ”である。ＭＳでは、その設定は、電話機内部への直列回線を使用する専用命令を通して、又はＭＳユーザ・インターフェース（user interface）（ＵＩ）を介して行われる。メッセージ拡張コンテナ中のＭＳ  ＩＤの符号化は、試験モード・パラメータが“ＯＮ”に設定される場合にだけ試験ＭＳにおいて作動される。１つの実施形態では、拡張コンテナ中のＭＳ  ＩＤの符号化は、試験モード・パラメータが“ＯＮ”に設定される場合にだけ試験ＭＳにおいて作動される。
【００４５】
図４は、具体例の方法におけるステップを説明するフローチャート図である。ステップ４０２において、ＭＳは、ＳＭＬＣからメッセージを受信する。具体例のメッセージは、ＲＲＬＰ補助データ・メッセージ又はＲＲＬＰ測定所在地要求メッセージを含むことができる。方法は、ステップ４０４に進む。
【００４６】
オプションとして、ＭＳは、試験モード・パラメータを装備することができる。もし、ＭＳがＭＳ  ＩＤを符号化するようにプログラムされ、そして試験モード・パラメータを持たないのであれば、ステップ４０４は、省略されることがあり、方法は、ステップ４０６に直接進む。もし、試験モード・パラメータがＭＳ内に含まれるのであり、ＯＮに設定されるのであれば、コンセプトは、同様に、ステップ４０６に進む。もし、ＭＳがＭＳ  ＩＤを送るようにプログラムされないのであれば、若しくは試験モード・パラメータがＯＦＦに設定されるのであれば、方法は、ステップ４０８に進む。
【００４７】
ステップ４０６において、ＭＳは、測定所在地応答メッセージ３５６（図３）、プロトコル・エラー・メッセージ３４６及び３５４のような、適切な応答メッセージの拡張コンテナ中の自身に関係するＭＳ  ＩＤを符号化する。適切なメッセージは、拡張コンテナを有する任意のメッセージを含むことができる。送られることがある拡張コンテナを持たないその他のメッセージ、例えば、補助データ受領通知メッセージは、ＭＳ  ＩＤを符号化するために使用されず、そして図４に示されたステップにより参照されない。方法は、ステップ４０８に進む。
【００４８】
ステップ４０８において、ＭＳは、ＳＭＬＣに適切な応答メッセージを送信し、ステップ４１０に進む。
【００４９】
ステップ４１０において、ＳＭＬＣは、適切な応答メッセージを処理し、ステップ４１２に進む。
【００５０】
ステップ４１２において、ＳＭＬＣが拡張コンテナからＭＳ  ＩＤを取り出すために適切に設定されているのであれば、方法は、ステップ４１４に進む。もし、ＳＭＬＣが、ＭＳ  ＩＤを取り出すことに失敗するのであれば、方法は、ステップ４１６に進む。もし、ＭＳ  ＩＤが何も送られない（例えば、試験モードがＯＦＦに設定されていた）のであれば、方法は、同様にステップ４１６に進む。
【００５１】
ステップ４１４において、ＳＭＬＣは、必要に応じて試験技術者による参照のために固有の位置決めセッション識別名に関係付けられたＭＳ  ＩＤを記憶し、それから通常の処理機能を継続する。
【００５２】
ステップ４１６において、ＳＭＬＣは、ＭＳにＲＲＬＰプロトコル・エラー・メッセージを送信することにより応答でき、そして、通常の処理機能を継続する前に、ＢＳＣとの所在地決定セッションを終了する。あるいは、もし、ＭＳがＭＳ  ＩＤを送らなかった（例えば、試験モードがＯＦＦであった）のであれば、ＳＭＬＣは、同様にステップ４１６において通常の処理機能を継続する。別の１つの可能性として、ＳＭＬＣは、通常の処理機能を継続する前に、ＢＳＣとの所在地決定セッションを終了することなくＭＳにＲＲＬＰプロトコル・エラー・メッセージを送信できる。ＳＭＬＣによるこれらの可能な応答は、下記にさらに説明される。
【００５３】
複数の有利で新奇な態様が存在する。例えば、非公開拡張の実施は、ＭＳ及びＳＭＬＣの動作にだけ強い影響を与える。これは、その他のネットワークの要素、例えば、ＢＳＳ、ＢＳＣ又は移動体交換センタ（Mobile Switching Center）（図面には示されていない）の動作に強い影響を与えない。ＲＲＬＰメッセージがＢＳＣによりトランスペアレントに渡されるために、ＭＳ認識の方法及び装置は、その他の要素に強い影響を与えず、ＲＲＬＰメッセージのサイズだけが、メッセージをＢＳＣが処理するための因子である。
【００５４】
別の１つの有利な態様は、試験ＭＳと“未経験の（naive）”ＳＭＬＣ（すなわち、本明細書の教示にしたがった試験モードで動作するために設定されていないＳＭＬＣ）との間の相互運用可能性に関係する。もし、（例えば、移動することは試験ＭＳの動作に関して一般的でない環境であるけれども、移動する状況で生じることがあるように）ＳＭＬＣが拡張コンテナを符号化できないのであれば、複数の可能性が生じることがある：１）未経験のＳＭＬＣがオプションの拡張コンテナの存在を検出する場合に、メッセージを復号化することを試みないように選択でき、応答においてプロトコル・エラー・メッセージを送信できる；２）拡張コンテナがメッセージの最後である場合に、未経験のＳＭＬＣは、メッセージを復号化しようと試みるが、拡張コンテナに到達すると復号化を停止する、これによって、拡張コンテナに到達する前に復号化されたメッセージの一部分を処理する；３）未経験のＳＭＬＣは、拡張コンテナを復号化できる可能性があるが、その非公開拡張に対してＳＭＬＣがＯＩを認識しない非公開拡張を破棄するように判断する。上記の２）及び３）のケースに関して、所在地決定の運用可能性は維持される。しかしながら、上記の１）のケースに関して、試験モード・パラメータが与えられ“ＯＦＦ”に設定されない限り、試験ＭＳは、所在地決定の運用可能性を持たない。
【００５５】
さらに別の１つの有利な特徴は、ＲＲＬＰ測定所在地応答メッセージのサイズに関係する。非公開拡張の追加は、ＲＲＬＰペイロードのサイズを増加させ、これは、特にＲＲＬＰ測定所在地応答メッセージに関して、分割の観点から問題であることがある。しかしながら、メッセージ・サイズが２５２オクテット未満のままであるならば、アップリンクの分割は、必要とされない。上に説明された具体例の実施形態は、ＲＲＬＰメッセージのサイズの増加を１２８オクテット以下に（１２０オクテットは、１６個の衛星に関係するＧＰＳ測定値の１セットを報告するための典型的な数である）制限して、完全なＲＲＬＰメッセージが２５２オクテットを超過する可能性を低減する。
【００５６】
通信技術およびコンピュータ技術における当業者は、本明細書中に説明されたいずれかの実施形態の方法の工程を具体的に組み込んだコンピュータ読み取り可能な媒体が本教示にしたがって使用されることができることを認識するはずである。そのような媒体は、ＲＡＭ，ＲＯＭ，ＥＰＲＯＭ，ＥＥＰＲＯＭ，フロッピ・ディスク、ハード・ディスク、ＣＤ−ＲＯＭ、等を含むことができるが、これらに限定されない。本開示は、同様に、フィールド・プログラマブル・ゲート・アレイ（Field Programmable Gate Array）、又はプログラマブル論理アレイ（Programmable Logic Array）、若しくはコンピュータ・プログラム命令を組み込むように製作されることが可能な又は修正されることが可能なその他の集積回路のような、集積回路中にディジタル論理として総合化されたいずれかの前述の実施形態の方法の工程も含む。
【００５７】
本教示にしたがった移動局１１０及び２１０は、制限なしに：ワイアレス電話機、ワイアレス通信能力を有するパーソナル・ディジタル・アシスタンツ、ワイアレス通信能力を有するラップトップ・コンピュータ、及びワイアレス接続を介した個人的な通信のためのその他のいずれかの携帯ディジタル装置を含むことができる。
【００５８】
多数の実施形態が説明されてきている。それにもかかわらず、本明細書中で説明された方法がソフトウェア又はハードウェアにおいて、若しくはハードウェア実施形態及びソフトウェア実施形態の組み合わせにおいて実行されることができることが、理解される。別の一例として、１つのモジュールの一部分であるとして説明された機能が、一般に、別の１つのモジュールにおいて同等に実行されることができることは、理解されるはずである。さらに別の一例として、工程に関して指定された順番を含む特許請求の範囲に記載されたこれらの実施形態を除いて、特定の順序で示された又は説明された工程又は動作は、一般に異なる順番で実行されることができる。
【図面の簡単な説明】
【００５９】
【図１】図１は、位置決めサービスを含むワイアレス通信を提供するために使用する具体例のワイアレス通信システムの機能ブロック図である。
【図２】図２は、追加のシステム構成要素を示す、位置決めサービスを含むワイアレス通信を提供するために使用する他の１つの具体例のワイアレス通信システムの機能ブロック図である。
【図３】図３は、試験移動局とサービスしている移動体位置決めセンタとの間のメッセージの流れを説明する機能ブロック図である。
【図４】図４は、具体例の方法のステップを説明する流れ線図である。
【符号の説明】
【００６０】
１００…ワイアレス通信システム，１５２，１５４…ワイアレス回線，１５６，１５８…通信回線，２００…通信システム，２１８…アンテナ，２１９…内部バス・システム，２２８，２２９…アンテナ，２５２…同報通信信号回線，２７２’…ワイアレス回線。
【図１】
2007521742.tif 000004
【図２】
2007521742.tif 000005
【図３】
2007521742.tif 000006
【図４】
2007521742.tif 000007
【国際調査報告】
2007521742.tif 000008